(57)【特許請求の範囲】
【請求項１】
スケジュール情報をユーザに入力させるための入力手段、
入力されたスケジュール情報を格納する記憶手段、
スケジュール表の出力指令をユーザに入力させるための入力手段、および
スケジュール表の出力指令が入力されたときに、記憶手段に記憶されているスケジュール情報に基づいて、スケジュール表を表示させるスケジュール表示手段を備えており、
スケジュール表示手段は、番組予約が設定されている放送時間帯と番組予約が設定されていない放送時間帯とが識別できるように、スケジュール表を表示させるものであることを特徴とするテレビジョン受像機。
【請求項２】
スケジュール情報をユーザに入力させるための入力手段、
入力されたスケジュール情報を格納する記憶手段、
スケジュール表の出力指令をユーザに入力させるための入力手段、
スケジュール表の出力指令が入力されたときに、記憶手段に記憶されているスケジュール情報に基づいて、スケジュール表を表示させるスケジュール表示手段、および
番組表を表示させる場合には、記憶手段に記憶されているスケジュール情報に基づいて、スケジュール情報としてユーザの予定が入力されている時間帯と、スケジュール情報としてユーザの予定が入力されていない時間帯とが識別できるように、番組表を表示させる手段、
を備えていることを特徴とするテレビジョン受像機。
【発明の詳細な説明】
【０００１】
【発明の属する技術分野】
この発明は、テレビジョン受像機に関する。
【０００２】
【従来の技術】
デジタル衛星放送などの伝送信号には、映像情報、音声情報と共に番組表を作成することができる番組表情報が重畳されいる。テレビジョン受像機は、番組表情報に基づいて、番組表を表示する電子番組ガイド（ＥＰＧ：Ｅｌｅｃｔｒｉｃａｌ  Ｐｒｏｇｒａｍ  Ｇｕｉｄｅ）  機能を備えている。
【０００３】
番組情報は、ＳＩ（Ｓｅｒｖｉｃｅ  Ｉｎｆｏｒｍａｔｉｏｎ  ）ストリームとして、デジタルパケット化されて伝送され、番組表の表示や内容の紹介、あるいは選局に利用するための情報から構成されている。
【０００４】
図８は、従来のテレビジョン受像機の概略構成を示している。
【０００５】
アンテナ２０１により受信したデジタルテレビジョン信号は、チューナ２０２により周波数変換が施され、復調部２０３により信号復調処理及び誤り訂正処理が行われる。これによって、トランスポートストリームが生成される。
【０００６】
生成されたトランスポートストリームはＴＳ分離復号部２０４で、映像ストリーム、音声ストリーム、ＳＩストリームに分離復号される。ＴＳ分離復号部２０４によって分離復号された映像ストリームは、映像信号処理部２０５に送られる。
【０００７】
ＴＳ分離復号部２０４によって分離復号されたＳＩストリームはさらに分離解析が行われ、番組情報は番組情報メモリ２０７に蓄積され、番組表などの画面をＯＳＤ（Ｏｎ  Ｓｃｒｅｅｎ  Ｄｉｓｐｌａｙ  ）処理表示部２０８にて作成し、映像信号処理部２０５において映像情報と合成される。映像信号処理部２０５によって得られた映像信号は、ＣＲＴ２０６に送られる。
【０００８】
テレビジョン受像機を構成する各部の制御やＳＩ情報の分離解析は制御部２０９によって行なわれる。
【０００９】
ＥＰＧ機能を利用すれば、ユーザが番組内容を確認したり番組の選択や予約を行う場合に新聞雑誌等の番組表を別途準備する必要がなく、伝送されてきた番組情報に基づいて表示された番組表によって、番組選択や番組予約を容易に行うことができる。
【００１０】
【発明が解決しようとする課題】
ユーザが番組予約とくに番組視聴予約を行う場合、視聴したい番組の放送時間帯と個人の予定とを照らし合わせ、その番組を視聴できるかどうかを判断してから視聴予約の設定を行う。視聴したい番組の放送時間帯と個人の予定とが重複している場合には、予約形式を視聴予約から録画予約に設定変更することが考えられる。
【００１１】
従来の受像機では、番組視聴予約を行う場合に、個人予定を確認するために、例えば手帳における記載事項やパソコンにおけるスケジュール管理アプリケーションにより記憶された情報などの他の媒体を別途用意する必要があった。
【００１２】
視聴予約しようとする番組と個人スケジュールとが重複しているかどうかを容易に確認することができれば、ユーザにとって番組予約の設定が簡単となり、視聴したい番組を見逃すことを未然に防ぐことができる。
【００１３】
この発明は、ユーザによって入力されたスケジュール情報に基づいて、スケジュール表を表示させる機能を備えたテレビジョン受像機を提供することを目的とする。
【００１４】
この発明は、個人予定の入っている時間帯をユーザが認識できるような番組表を表示することができるテレビジョン受像機を提供することを目的とする。
【００１５】
この発明は、番組予約が設定されている時間帯をユーザが認識できるようなスケジュール表を表示することができるテレビジョン受像機を提供することを目的とする。
【００１６】
この発明は、視聴予約された番組の放送時間帯と予定が入っている時間帯とが重複している場合に、そのことをユーザに認識させることができるテレビジョン受像機を提供することを目的とする。
【００１７】
【課題を解決するための手段】
この発明による第１のテレビジョン受像機は、スケジュール情報をユーザに入力させるための入力手段、入力されたスケジュール情報を格納する記憶手段、スケジュール表の出力指令をユーザに入力させるための入力手段、およびスケジュール表の出力指令が入力されたときに、記憶手段に記憶されているスケジュール情報に基づいて、スケジュール表を表示させるスケジュール表示手段を備えており、スケジュール表示手段は、番組予約が設定されている放送時間帯と番組予約が設定されていない放送時間帯とが識別できるように、スケジュール表を表示させるものであることを特徴とする。
【００１８】
この発明による第２のテレビジョン受像機は、スケジュール情報をユーザに入力させるための入力手段、入力されたスケジュール情報を格納する記憶手段、スケジュール表の出力指令をユーザに入力させるための入力手段、スケジュール表の出力指令が入力されたときに、記憶手段に記憶されているスケジュール情報に基づいて、スケジュール表を表示させるスケジュール表示手段、および番組表を表示させる場合には、記憶手段に記憶されているスケジュール情報に基づいて、スケジュール情報としてユーザの予定が入力されている時間帯と、スケジュール情報としてユーザの予定が入力されていない時間帯とが識別できるように、番組表を表示させる手段を備えていることを特徴とする。
【００２１】
【発明の実施の形態】
以下、図１〜７を参照して、この発明の実施の形態について説明する。
【００２２】
〔１〕第１の実施の形態の説明
【００２３】
図１は、テレビジョン受像機の概略構成を示している。
【００２４】
アンテナ１０１により受信したデジタルテレビジョン信号は、チューナ１０２により周波数変換が施され、復調部１０３により信号復調処理及び誤り訂正処理が行われる。これにより、トランスポートストリームが生成される。生成されたトランスポートストリームは、ＴＳ分離復号部１０４により、映像ストリーム、音声ストリームおよびＳＩストリームに分離復号される。ＴＳ分離復号部１０４によって分離復号された映像ストリームは、映像信号処理部１０５に送られる。
【００２５】
ＴＳ分離復号部１０４によって分離復号されたＳＩストリームはさらに分離解析が行われ、番組情報は番組情報メモリ１０７に蓄積される。
【００２６】
制御部１１１は、テレビジョン受像機を構成する各部を制御する。制御部１１１には、リモコン送信機１２０からのリモコン信号がリモコン受光器１１２を介して入力される。
【００２７】
この実施の形態では、リモコン送信機１２０によって、番組予約設定を行なえる他、個人スケジュールに関する情報を入力できるようになっている。
【００２８】
ユーザがリモコン送信機１２０を用いて番組予約設定を行うと、予約された番組に関する情報（予約番組情報）が予約番組メモリ１１０に蓄積される。ユーザがリモコン送信機１２０を用いてスケジュール情報を入力すると、入力されたスケジュール情報はスケジュールメモリ１０９に蓄積される。
【００２９】
ＯＳＤ処理表示部１０８は、番組情報メモリ１０７に蓄積されている番組情報に基づいて番組表の表示データを生成する機能、スケジュールメモリ１１２に蓄積されているスケジュール情報に基づいてスケジュール表の表示データを生成する機能、番組予約を設定させるための画面や予約された番組を示す画面の表示データを生成する機能を備えている。
【００３０】
ＯＳＤ処理表示部１０８で生成された各種表示データは、映像信号処理部１０５に送られて、映像情報と合成されることにより、ＣＲＴ１０６にオンスクリーン表示される。
【００３１】
ユーザがリモコン送信機１２０を用いて番組表の出力指令を入力すると、ＯＳＤ処理表示部１０８は、制御部１１１からの指令に基づいて、番組情報メモリ１０７に蓄積されている番組情報に基づいて、番組表の表示データを生成して、映像信号処理部１０５に送る。映像信号処理部２０５は、選局されている番組の映像情報と番組表の表示データとを合成して、ＣＲＴ１０６に出力する。これにより、ＣＲＴ１０６に番組表がオンスクリーン表示される。
【００３２】
ユーザがリモコン送信機１２０を用いてスケジュール表の出力指令を入力すると、ＯＳＤ処理表示部１０８は、制御部１１１からの指令に基づいて、スケジュールメモリ１０９に蓄積されているスケジュール情報に基づいて、スケジュール表の表示データを生成して、映像信号処理部１０５に送る。映像信号処理部２０５は、選局されている番組の映像情報とスケジュール表の表示データとを合成して、ＣＲＴ１０６に出力する。これにより、ＣＲＴ１０６にスケジュール表がオンスクリーン表示される。
【００３３】
したがって、この実施の形態では、番組表と、スケジュール表とを切り替えて表示させることができるので、番組予約を行なう際に、番組表と、スケジュール表とを交互に表示させることにより、予約しようとする番組の時間帯と個人の予定とを容易に照合することができるようになる。
【００３４】
〔２〕第２の実施の形態の説明
【００３５】
第２の実施の形態においても、テレビジョン受像機の構成は図１と同じである。
【００３６】
図２は、番組表の表示処理手順を示している。
【００３７】
ユーザからリモコン送信機１２０のキー操作などにより番組表の出力指令が入力されると（ステップ４０１）、制御部１１１は、ＯＳＤ処理表示部１０８に番組表の表示データの作成指令を出力する（ステップ４０２）。
【００３８】
ＯＳＤ処理表示部１０８は、制御部１１１からのこの指令を受信すると、番組情報メモリ１０７に蓄積されている番組情報に基づいて、番組表の表示データを生成して、映像信号処理部１０５に送る（ステップ４０３）。これにより、ＣＲＴ１０６に番組表がオンスクリーン表示される。
【００３９】
制御部１１１は、スケジュールメモリ１１２にスケジュール情報が蓄積されているか否かを判定する（ステップ４０４）。スケジュールメモリ１１２にスケジュール情報が蓄積されていなければ、番組選択または予約操作に移行する（ステップ４０７）。
【００４０】
スケジュールメモリ１１２にスケジュール情報が蓄積されている場合には、制御部１１１は、ＯＳＤ処理表示部１０８に、スケジュールを加味した番組表の表示データの作成指令を出力する（ステップ４０５）。
【００４１】
ＯＳＤ処理表示部１０８は、制御部１１１からのこの指令を受信すると、スケジュールメモリ１０９に蓄積されているスケジュール情報に基づいて、スケジュールを加味した番組表の表示データを作成して、映像信号処理部１０５に送る（ステップ４０６）。たとえば、ＯＳＤ処理表示部１０８は、番組表のうち、予定が入っている時間帯については、その背景色または背景パターンが、他の背景（予定が入っていない時間帯に対する背景）の背景色または背景パターンと異なるような、スケジュールを加味した番組表の表示データを作成する。
【００４２】
これにより、図３に示すように、予定が入っている時間帯（たとえば、３月９日の１３：００〜１６：３０）については背景色または背景パターンが、他の背景（予定が入っていない時間帯に対する背景）の背景色または背景パターンとは異なるような番組表がＣＲＴ１０６に表示される。したがって、番組表上で予定が入っている時間帯を確認することが可能となる。
【００４３】
そして、番組選択または予約操作に移行する（ステップ４０７）。
【００４４】
〔３〕第３の実施の形態の説明
【００４５】
第３の実施の形態においても、テレビジョン受像機の構成は図１と同じである。
【００４６】
図４は、スケジュール表の表示処理手順を示している。
【００４７】
ユーザからリモコン送信機１２０のキー操作などによりスケジュール表の出力指令が入力されると（ステップ５０１）、制御部１１１は、ＯＳＤ処理表示部１０８にスケジュール表の表示データの作成指令を出力する（ステップ５０２）。
【００４８】
ＯＳＤ処理表示部１０８は、制御部１１１からのこの指令を受信すると、スケジュールメモリ１０９に蓄積されているスケジュール情報に基づいて、スケジュール表の表示データを生成して、映像信号処理部１０５に送る（ステップ５０３）。これにより、ＣＲＴ１０６にスケジュール表がオンスクリーン表示される。
【００４９】
制御部１１１は、予約番組メモリ１１０に予約番組情報が蓄積されているか否かを判定する（ステップ５０４）。予約番組メモリ１１０に予約番組情報が蓄積されていなければ、番組選択または予約操作に移行する（ステップ５０７）。
【００５０】
予約番組メモリ１１０に予約番組情報が蓄積されている場合には、制御部１１１は、ＯＳＤ処理表示部１０８に、番組予約を加味したスケジュール表の表示データの作成指令を出力する（ステップ５０５）。
【００５１】
ＯＳＤ処理表示部１０８は、制御部１１１からのこの指令を受信すると、予約番組メモリ１１０にに蓄積されている予約番組情報に基づいて、番組予約を加味したスケジュール表の表示データを作成して、映像信号処理部１０５に送る（ステップ５０６）。たとえば、ＯＳＤ処理表示部１０８は、スケジュール表のうち、番組予約が設定されている時間帯については、その背景色または背景パターンが、他の背景（番組予約が設定されていない時間帯に対する背景）の背景色または背景パターンと異なるような、番組予約を加味したスケジュール表の表示データを作成する。
【００５２】
これにより、図５に示すように、番組予約が設定されている時間帯（たとえば、３月９日（水）の１５：００〜１６：００）については、背景色または背景パターンが、他の背景（番組予約が設定されていない時間帯に対する背景）の背景色または背景パターンとは異なるようなスケジュール表がＣＲＴ１０６に表示される。したがって、スケジュール表上で番組予約が設定されている時間帯を確認することが可能となる。
【００５３】
そして、番組選択または予約操作に移行する（ステップ５０７）。
【００５４】
〔４〕第４の実施の形態の説明
【００５５】
第４の実施の形態においても、テレビジョン受像機の構成は図１と同じである。
【００５６】
図６は、番組予約設定処理手順を示している。
【００５７】
ユーザからリモコン送信機１２０のキー操作などにより番組予約指令が入力されると（ステップ６０１）、制御部１１１は、ＯＳＤ処理表示部１０８に番組表の表示データの作成指令を出力する（ステップ６０２）。
【００５８】
ＯＳＤ処理表示部１０８は、制御部１１１からのこの指令を受信すると、番組情報メモリ１０７に蓄積されている番組情報に基づいて、番組表の表示データを生成して、映像信号処理部１０５に送る（ステップ６０３）。これにより、ＣＲＴ１０６に番組表がオンスクリーン表示される。
【００５９】
ユーザはリモコン送信機１２０のキー操作などによって、予約したい番組を選択するとともに予約形式（番組視聴予約または番組録画予約）を選択する（ステップ６０４）。これにより、選択された番組および予約形式を示す番組予約画面が表示される。
【００６０】
予約形式として録画予約が選択されたときには（ステップ６０５でＮＯ）、制御部１１１は、選択された予約番組を録画予約番組として設定し（ステップ６１０）、番組予約画面の終了あるいは新たな予約番組選択を実行することになる。
【００６１】
予約形式として番組視聴予約が選択されたときには（ステップ６０５でＹＥＳ）、制御部１１１は、スケジュール情報をスケジュールメモリ１０９から読み出し、選択された予約番組の放送時間帯と個人の予定が重複していないか否かを判別する（ステップ６０６）。
【００６２】
選択された予約番組の放送時間帯と個人の予定が重複していない場合には、選択された予約番組を視聴予約番組として設定し（ステップ６０９）、番組予約画面の終了あるいは新たな予約番組選択を実行することになる。
【００６３】
選択された予約番組の放送時間帯と個人の予定が重複している場合には、図７に示すように、その旨のメッセージ（以下、警告メッセージという）を番組予約画面上に表示させる（ステップ６０８）。
【００６４】
図７の例では、番組予約画面の項目４の予約番組の放送時間帯が予定有りとなっており、スケジュール表に予定が入っていることを通知すると同時に、録画予約への設定変更の機会を設けている。
【００６５】
ユーザは、予約形式を録画予約に変更する場合はＹＥＳボタンを押し、予約形式を変更しない場合にはＮＯボタンを押す。
【００６６】
ＹＥＳボタンが押された場合には（ステップ６０８でＹＥＳ）、選択された予約番組を録画予約番組として設定し（ステップ６１０）、番組予約画面の終了あるいは新たな予約番組選択を実行することになる。
【００６７】
ＮＯボタンが押された場合には（ステップ６０８でＮＯ）、選択された予約番組を視聴予約番組として設定し（ステップ６０９）、番組予約画面の終了あるいは新たな予約番組選択を実行することになる。
【００６８】
なお、警告メッセージが付加された番組予約画面に、予約取消ボタンを設けておき、予約取消ボタンが押された場合には、選択された予約番組に対する予約を取り消すようにしてもよい。
【００６９】
上記実施の形態によれば、スケジュール表を表示することができるため、ユーザにとってスケジュール情報の入手の作業が容易になる。また、番組情報及び番組予約情報と個人スケジュール情報を連鎖させることにより、共通の表示画面上で双方の情報を同時に入手することができる。したがって、番組予約時においても他の情報媒体を準備する必要がなくなり、番組予約の操作性向上や情報確認の効率が図れる。
【００７０】
さらに、番組視聴予約時において、予約番組の放送時間帯と予定が入っている時間帯とが重複している場合には警告メッセージが表示され、番組の視聴見逃しを回避することを目的として録画予約への予約設定変更の機会が与えられるため、ユーザの予定に応じた予約設定が行なえるようになる。
【００７１】
【発明の効果】
この発明によれば、ユーザによって入力されたスケジュール情報に基づいて、スケジュール表を表示させる機能を備えたテレビジョン受像機が実現する。
【００７２】
この発明によれば、個人予定の入っている時間帯をユーザが認識できるような番組表を表示することができるようになる。
【００７３】
この発明によれば、番組予約が設定されている時間帯をユーザが認識できるようなスケジュール表を表示することができるようになる。
【００７４】
この発明によれば、視聴予約された番組の放送時間帯と予定が入っている時間帯とが重複している場合に、そのことをユーザに認識させることができるようになる。
【図面の簡単な説明】
【図１】テレビジョン受像機の概略構成を示すブロック図である。
【図２】番組表の表示処理手順を示すフローチャートである。
【図３】予定が入っている時間帯については背景色または背景パターンが他の背景とは異なるような番組表の一例を示す模式図である。
【図４】スケジュール表の表示処理手順を示すフローチャートである。
【図５】番組予約が設定されている時間帯については、背景色または背景パターンが他の背景とは異なるようなスケジュール表の一例を示す模式図である。
【図６】番組予約設定処理手順を示すフローチャートである。
【図７】番組予約画面上に警告メッセージが表示された状態を示す模式図である。
【図８】従来のテレビジョン受像機の概略構成を示すブロック図である。
【符号の説明】
１０１  アンテナ
１０２  チューナ
１０３  復調部
１０４  ＴＳ分離復号部
１０５  映像信号処理部
１０６  ＣＲＴ
１０７  番組情報メモリ
１０８  ＯＳＤ処理表示部
１０９  スケジュールメモリ
１１０  予約番組メモリ
１１１  制御部
１２０  リモコン送信機
【図１】
0003574016.tif 000002
【図２】
0003574016.tif 000003
【図３】
0003574016.tif 000004
【図４】
0003574016.tif 000005
【図５】
0003574016.tif 000006
【図６】
0003574016.tif 000007
【図７】
0003574016.tif 000008
【図８】
0003574016.tif 000009